(57)【要約】【課題】蛇口の取っ手に、手の汚れを付着させる事なく操作を出来る蛇口カバーを提供する。【解決手段】先端が丸みを有する半球状のカバーにおいて、外周部（１）を反り返らせて設けた、溝（３）に適度な間隔で窪み（４）を数個、設け、溝（３）から、半球状カバーの先端中心に向けて溝（２）を数個、設けた事を特徴とする。【選択図】図２
2010261284.tif 000002
【特許請求の範囲】
【請求項１】
一枚のビニール素材からなるカバーであって、色々な形状の取ってに適応すべく、上部先端が半球状の丸みを有する蛇口カバー。
【請求項２】
請求項１に記載の蛇口カバーにおいて、外周部（１）を反り返らせる事で、溝（３）を設けた蛇口カバー。
【発明の詳細な説明】
【技術分野】
【０００１】  この発明は、蛇口の取っ手に手の汚れを付着させず、かつ容易に取っ手を操作が出来、取っ手が清潔に保てる蛇口の取っ手カバーに関する。
【背景技術】
【０００２】  従来、手を洗うのに蛇口の取っ手を汚染された手で触れ、手洗い後、水を止める際、蛇口取っ手を清潔にする為には取っ手を水で濯ぐか、清潔な布巾、等をあてがい間接的に触れる必要性があった。
【発明の概要】
【発明が解決しょうとする課題】
【０００３】  特許文献１のハート形の台所用手袋の材質が布地の為、汚れが染みてしまい、衛生的に悪く濯ぎに時間を要する。そして手を挿入するタイプなので使用の際、面倒である。またデザインは素敵であるが大きいサイズなので流し台には邪魔になるサイズである。
【０００４】  特許文献２の抗菌ドアーノブカバーは、抗菌剤を含有させた素材から出来ており、衛生的ではあるが、これは装着させるのが目的であり、瞬時の取り外しが不可能である。またドアーのカバーである為、蛇口の形状には、使いがってが悪く、手にフイットしない形状で、また安定が悪いので瞬時に掴めない。
【０００５】  特許文献３のロール型スポンジのサイズ、そしてデザインはオシャレではあるが、まず第一に、蛇口レバー及び捻る形状の操作部位が流し台の根本に付いている場合は、使用出来ず、第２に水滴をストップさせるだけで、汚れた手でレバーに触れると汚してしまい結果、手ですくって、濯ぐなどの手間を要する。よって本発明の蛇口カバーの効果から、ずれており、本発明の効果と違う。
【０００６】  特許文献４の洗浄用手袋および洗浄用具は、耐久性があり、汚れが染みない素材構造になっているが、親指、人差し指、他各指（三箇所）の挿入で手間が掛り、また大きさ的にも邪魔になるサイズでコストも掛りすぎる点がある。
【０００７】  特許文献５の他用途、便利布巾は２重構造になっており、少し厚みがある為、掴めるが掴みにくく、そして蛇口レバータイプ及び捻りタイプの形状でも瞬時にあてがう事が出来るがこの布巾の片面は、ポリエステル素材で網目が大きく形成されており、よって汚れ片面のタオル布地に染みてしまうので結果、洗浄に時間をとられ衛生的にも悪い。
特許文献
【０００８】
【特許文献１】  特開平９−２１０１０号公報
【特許文献２】  特開平１１−６２３３１号公報
【特許文献３】  特開平２０００−１６６８３９号公報
【特許文献４】  特開平２００５−６６２７５号公報
【特許文献５】  実用新案登録第３１２３０４９号
【非特許文献】
【０００９】
【非特許文献１】  従来ある、コップ（陶器、ガラス、プラスチック）での代用では、割れる事もあり、また使用の際レバータイプではコップの中の一点に力点が加わるので、レバーを押す、引くなどの操作は力が必要とされ、手が滑りやすく扱いにくい点があり、捻るタイプでは使用できない。
【００１０】
【非特許文献２】  また上記記載のコップの材質がシリコン樹脂であっても掴む作業が、逆さになっている為、手の汚れ、泡等が下まで滴り結果、蛇口の取っ手箇所に付いてしまう。さらにすべり止めの形状がなく丸みを帯びてないので、捻るタイプだと操作しづらい点がある。
【発明の概要】
【発明が解决しようとする課題】
【００１１】  例えば蛇口より水を出して汚染された手を洗浄する場合、蛇口の取っ手に触れる為、手に付着している汚れ、雑菌等が取っ手に付着し、手の洗浄後、水道を止める為にまた、取っ手に触れる事により、取っ手に付着してしまった汚れ、雑菌等が清潔な手に付着し、せっかくの手の洗浄の効果が失われる。手の洗浄後に、取っ手を水で濯いで取っ手事態を洗浄すれば、この課題は解決されるが、それは大変に面倒な作業であり、そして蛇口取っ手の回りに水滴が飛んだり、蛇口取っ手下の流し台が水で濡れてしまい、拭き取る手間を要する。
上記の方法以外にも直接触れるのではなく、清潔な布巾等を間接的にあてがい取っ手に触れる事で、清潔に保てるが布巾等では汚れが染み易く、雑菌も繁殖し易い為、布巾等の清潔度は直ぐに失われてしまう。故に清潔な布巾等を常備するのは難しく本発明は、以上の要な課題を解决する為になされたものである。
【課題を解決するための手段】
【００１２】  本発明は洗浄や乾燥を容易に、また柔らかさを重視する為に素材をビニール素材（ポリエチレン、シリコン樹脂）とし、また、抗菌剤を含有させても良く、また手の形態に形状を近づける事で、操作しやすい蛇口カバーとなる。
【００１３】本発明は取っ手の上から、おおい被せて使用し、取っ手が本発明のカバーからはみ出ず、且つ手のひらに納まる程度の大きさが望ましい。そして、半球状カバー下部直径は、溝巾を含まない直径は、６５ミリメートル前後が蛇口取っての平均直である為、望ましい。
【００１４】  加えて、本体カバーの溝（３）から半球状先端に向けて溝（２）を数個、作る事で滑り止めとなる。そして外周部（１）に沿って反り返りもたせ溝（３）を作り、手の構造からして、その（１）を、なだらかな６角形にし、６つの角に窪み（４）を設ける。
【発明の効果】
【００１５】  手に付着した油汚れや洗剤等が、本発明のカバーで蛇口の取っ手に付着しない為シンク台に汚れを滴らせず清潔に操作、手洗いが出来る。そしてカバーに設けた溝、窪みの形状で、汚れがカバー内に納まり滴りにくく、また蛇口取っ手に対し滑り止めとなり、さらに指先もカバーに対し滑り止めとなり安定し蛇口取ってが操作し易くなる効果がある。
【００１６】  この発明は蛇口の取っ手の操作するだけではなく、瞬時に使用出来る形状材質である為、鍋つかみや、換気扇、湯わかし器、インターホンのスイッチ等に手が汚れている時、炊事中であっても、蛇口カバーで作業を止めずに、あてがう事が出来る。よって布巾の要素また手袋の要素を兼ね備えた代用となる、新しい機能を果たす効果が生まれた。
【発明を実施するための形態】
【００１７】  本発明の蛇口カバーは、１枚からなるビニール素材で出来ており、形状は半球状で外周部（１）は、なだらかな６角形の角々に、窪みを設け、溝（３）から半球状先端にかけ約１２個の溝（２）を設ける形態。また、掴む際、溝（３）は安定する形態。
【００１８】  本発明は、単純な形状ではあるが、そのカバー形状には理論があり、物を取ろうとする際、握る掴むの様な指の動きが計算され、結果、使用目的には常に卵を掴む様な形状になる事実から蛇口カバーは卵の丸みを持った様な半球状の形態となる訳である。
【実施例１】
【００１９】  蛇口の取っ手の上に、本発明の蛇口カバーを、あてがう事で手の汚れが蛇口取っ手に付かずカバーに付く。蛇口の取っ手を軽く押す、引き上げるなど、捻り回さなくて良いレバータイプの形状であれば、半体状カバーの溝（３）、窪み（４）まで深々指先を入れずとも、半球状カバーの溝（２）の辺りに指を添え半球状カバーの中の空洞に、ひっかける様に使用する事で簡単な操作となる。
【実施例２】
【００２０】  また本発明は、薄く延ばしたビニール素材（シリコン樹脂、ポリエテレン）で、柔らかい為、瞬時に掴む事が出来、蛇口取っての捻るタイプの形状にも対応すべく、溝（３）、窪み（４）まで、スムーズに指先が入りフイットし結果、操作しやすい。
【産業上の利用可能性】
【００２１】  本発明は、簡単に誰もが使用出来る蛇口カバーである。
蛇口カバーはソフトタッチなビニール素材の為、水での洗浄が容易でお年寄り、子供障害者の方々にも使い易く、優しい形状に仕上がっている。また、台所では、人間が食する物が集まっているので、雑菌が口に入らない様、手軽に防御が出来、結果、人間の免疫力もアップし、病気にかかりにくく、病院に行く回数も減り、金銭的に助かり、楽しい生活が送れ、これだけ手荒い、うがいとＯ−１５７のバイキンやウイルスの衛生面で騒がられている時代のニーズに、まさしく答えた発明だと言える物です。また、お年寄りや、障害者の方々だと蛇口の取ってまで、手で水を救うなどの洗浄作業等は困難で、しばらく水を出したままにする為、炊事作業の時間、水道料金など多くかかる。また汚れてない肘や、手の甲で取っ手を倒すのも困難である。しかし蛇口取ってカバーで、作業軽減、水道料金節約となる。【００２２】  本発明は、現代の一般家庭では、まだ、つかんで止めて取って蛇口カバーの認識など、ありませんし使用もされてませんが、この商品の使用目的に共感する、また望んでいる女性、男性そして子供から高齢者は、多くいらっしゃる事だと思います。この蛇口カバーの使用が、世の中で、習慣になり一家一つ台所に、また、かばんに入れ持ち歩く方が来る日は、近いと予測出来ます。
そして、自動で水が出るタイプも普及されてますが、また２割も満たなく、８割以上の家庭では手動の為、蛇口カバーは、上記の事柄にして需要が高く、またコストも安く済み結果、高利益が期待される。
【符号の説明】
【００２３】        １      カバーの外周部。
２      半球状にある溝部分。
３      半球状下部にある溝部分。
４      半球状下部にある溝の中の窪み部分。
【図１】
2010261284.tif 000003
【図２】
2010261284.tif 000004
【図３】
2010261284.tif 000005
【手続補正書】
【提出日】平成21年6月22日(2009.6.22)
【手続補正１】
【補正対象書類名】明細書
【補正対象項目名】全文
【補正方法】変更
【補正の内容】
【発明の詳細な説明】
【技術分野】
【０００１】  この発明は、蛇口の取っ手に手の汚れを付着させず、かつ容易に取っ手を操作が出来、取っ手が清潔に保てる蛇口の取っ手カバーに関する。
【背景技術】
【０００２】  従来、手を洗うのに蛇口の取っ手を汚染された手で触れ、手洗い後、水を止める際、蛇口取っ手を清潔にする為には取っ手を水で濯ぐか、清潔な布巾、等をあてがい間接的に触れる必要性があった。
【特許文献】
【０００３】
【特許文献１】  特開平９ー２１０１０号公報
【特許文献２】  特開平１１ー６２３３３１号公報
【特許文献３】  特開平２０００ー１６６８３９号公報
【特許文献４】  特開平２００５ー６６２７５号公報
【特許文献５】  実用新案登録第３１２３０４９号
【先行技術文献】
【０００４】
【特許文献１】  特許文献１のハート形の台所用手袋の材質が布地の為、汚れが染みてしまい、衛生的に悪く濯ぎに時間を要する。そして手を挿入するタイプなので使用の際、面倒である。またデザインは素敵であるが大きいサイズなので流し台には邪魔になるサイズである。
【特許文献２】  特許文献２の抗菌ドアーノブカバーは、抗菌剤を含有させた素材から出来ており、衛生的ではあるが、これは装着させるのが目的であり、瞬時の取り外しが不可能である。またドアーのカバーである為、蛇口の形状には、使いがってが悪く、手にフイットしない形状で、また安定が悪いので瞬時に掴めない。
【特許文献３】  特許文献３のロール型スポンジのサイズ、そしてデザインはオシャレではあるが、まず第一に、蛇口レバー及び捻る形状の操作部位が流し台の根本に付いている場合は、使用出来ず、第２に水滴をストップさせるだけで、汚れた手でレバーに触れると汚してしまい結果、手ですくって、濯ぐなどの手間を要する。よって本発明の蛇口カバーの効果から、ずれており、本発明の効果と違う。
【特許文献４】  特許文献４の洗浄用手袋および洗浄用具は、耐久性があり、汚れが染みない素材構造になっているが、親指、人差し指、他各指（三箇所）の挿入で手間が掛り、また大きさ的にも邪魔になるサイズでコストも掛りすぎる点がある。
【特許文献５】  特許文献５の他用途、便利布巾は２重構造になっており、少し厚みがある為、掴めるが掴みにくく、そして蛇口レバータイプ及び捻りタイプの形状でも瞬時にあてがう事が出来るがこの布巾の片面は、ポリエステル素材で網目が大きく形成されており、よって汚れ片面のタオル布地に染みてしまうので結果、洗浄に時間をとられ衛生的にも悪い。
【発明の概要】
【発明が解決しょうとする課題】
【０００５】  例えば蛇口より水を出して汚染された手を洗浄する場合、蛇口の取っ手に触れる為、手に付着している汚れ、雑菌等が取っ手に付着し、手の洗浄後、水道を止める為にまた、取っ手に触れる事により、取っ手に付着してしまった汚れ、雑菌等が清潔な手に付着し、せっかくの手の洗浄の効果が失われる。手の洗浄後に、取っ手を水で濯いで取っ手事態を洗浄すれば、この課題は解決されるが、それは大変に面倒な作業であり、そして蛇口取っ手の回りに水滴が飛んたり、蛇口取っ手下の流し台が水で濡れてしまい、拭き取る手間を要する。
上記の方法以外にも直接触れるのではなく、清潔な布巾等を間接的にあてがい取っ手に触れる事で、清潔に保てるが布巾等では汚れが染み易く、雑菌も繁殖し易い為、布巾等の清潔度は直ぐに失われてしまう。故に清潔な布巾等を常備するのは難しく本発明は、以上の要な課題を解決する為になされたものである。
【課題を解決するための手段】
【０００６】  本発明は洗浄や乾燥を容易に、また柔らかさを重視する為に素材をビニール素材（ポリエチレン、シリコン樹脂）とし、また、抗菌剤を含有させても良く、また手の形態に形状を近づける事で、操作しやすい蛇口カバーとなる。
【０００７】本発明は取っ手の上から、おおい被せて使用し、取っ手が本発明のカバーからはみ出ず、且つ手のひらに納まる程度の大きさが望ましい。そして、半球状カバー下部直径は、溝巾を含まない直径は、６５ミリメートル前後が蛇口取っての平均直である為、望ましい。
【０００８】  加えて、本体カバーの溝（３）から半球状先端に向けて溝（２）を数個、作る事で滑り止めとなる。そして外周部（１）に沿って反り返りもたせ溝（３）を作り、手の構造からして、その（１）を、なだらかな６角形にし、６つの角に窪み（４）を設ける。
【発明の効果】
【０００９】  手に付着した油汚れや洗剤等が、本発明のカバーで蛇口の取っ手に付着しない為シンク台に汚れを滴らせず清潔に操作、手洗いが出来る。そしてカバーに設けた溝、窪みの形状で、汚れがカバー内に納まり滴りにくく、また蛇口取っ手に対し滑り止めとなり、さらに指先もカバーに対し滑り止めとなり安定し蛇口取ってが操作し易くなる効果がある。
【００１０】  この発明は蛇口の取っ手の操作するだけではなく、瞬時に使用出来る形状材質である為、鍋つかみや、換気扇、湯わかし器、インターホンのスイッチ等に手が汚れている時、炊事中であっても、蛇口カバーで作業を止めずに、あてがう事が出来る。よって布巾の要素また手袋の要素を兼ね備えた代用となる、新しい機能を果たす効果が生まれた。
【図面の簡単な説明】
【００１１】
【図１】  本発明の上から見た平面図である。
【図２】  本発明の斜視図である。
【図３】  本発明の断面図である。
【発明を実施するための最良の形態】
【００１２】  本発明の蛇口カバーは、１枚からなるビニール素材で出来ており、形状は半球状で外周部（１）は、なだらかな６角形の角々に、窪みを設け、溝（３）から半球状先端にかけ約１２個の溝（２）を設ける形態。また、掴む際、溝（３）は安定する形態。【００１３】  本発明は、単純な形状ではあるが、そのカバー形状には理論があり、物を取ろうとする際、握る掴むの様な指の動きが計算され、結果、使用目的には常に卵を掴む様な形状になる事実から蛇口カバーは卵の丸みを持った様な半球状の形態となる訳である。
【実施例１】
【００１４】  蛇口の取っ手の上に、本発明の蛇口カバーを、あてがう事で手の汚れが蛇口取っ手に付かずカバーに付く。蛇口の取っ手を軽く押す、引き上げるなど、捻り回さなくて良いレバータイプの形状であれば、半休状カバーの溝（３）、窪み（４）まで深々指先を入れずとも、半球状カバーの溝（２）の辺りに指を添え半球状カバーの中の空洞に、ひっかける様に使用する事で簡単な操作となる。
【実施例２】
【００１５】  また本発明は、薄く延ばしたビニール素材（シリコン樹脂、ポリエチレン）で、柔らかい為、瞬時に掴む事が出来、蛇口取っ手の捻るタイプの形状にも対応すべく、溝（３）、窪み（４）まで、スムーズに指先が入りフイットし結果、操作しやすい。
【産業上の利用可能性】
【００１６】  本発明は、簡単に誰もが使用出来る蛇口カバーである。
蛇口カバーはソフトタッチなビニール素材の為、水での洗浄が容易でお年寄り、子供障害者の方々にも使い易く、優しい形状に仕上がっている。また、台所では、人間が食する物が集まっているので、雑菌が口に入らない様、手軽に防御が出来、結果、人間の免疫力もアップし、病気にかかりにくく、病院に行く回数も減り、金銭的に助かり、楽しい生活が送れ、これだけ手荒い、うがいとＯー１５７のバイキンやウイルスの衛生面で騒がられている時代のニーズに、まさしく答えた発明だと言える物です。また、お年寄りや、障害者の方々だと蛇口の取ってまで、手で水を救うなどの洗浄作業等は困難で、しばらく水を出したままにする為、炊事作業の時間、水道料金など多くかかる。また汚れてない肘や、手の甲で取っ手を倒すのも困難である。しかし蛇口取ってカバーで、作業軽減、水道料金節約となる。【００１７】  本発明は、現代の一般家庭では、まだ、つかんで止めて取って蛇口カバーの認識など、ありませんし使用もされてませんが、この商品の使用目的に共感する、また望んでいる女性、男性そして子供から高齢者は、多くいらっしゃる事だと思います。この蛇口カバーの使用が、世の中で、習慣になり一家一つ台所に、また、かばんに入れ持ち歩く方が来る日は、近いと予測出来ます。
そして、自動で水が出るタイプも普及されてますが、まだ２割も満たなく、８割以上の家庭では手動の為、蛇口カバーは、上記の事柄にして需要が高く、またコストも安く済み結果、高利益が期待される。
【符号の説明】
【００１８】          １      カバーの外周部。
２      半球状にある溝部分。
３      半球状下部にある溝部分。
４      半球状下部にある溝の中の窪み部分。
【手続補正書】
【提出日】平成22年1月19日(2010.1.19)
【手続補正１】
【補正対象書類名】特許請求の範囲
【補正対象項目名】全文
【補正方法】変更
【補正の内容】
【特許請求の範囲】
【請求項１】
ビニール素材からなる、色々な形状の取っ手に適応する円柱状のカバーであって、円柱上部がドーム状で、丸みを有する「∩」形状のカバー
【請求項２】
請求項１に記載の蛇口カバーにおいて、外周部（１）を反り返らせる事で、指先が入るだけのスペースを有した溝（３）を設けた蛇口カバー。
【手続補正書】
【提出日】平成22年8月17日(2010.8.17)
【手続補正１】
【補正対象書類名】特許請求の範囲
【補正対象項目名】請求項１
【補正方法】変更
【補正の内容】
【請求項１】
ビニール素材からなる、色々な形状の取っ手に適応する円柱状のカバーであって、円柱上部がドーム状で、丸みを有する「∩」形状の蛇口カバー